(57)【要約】  【課題】従来のスプレー缶の保持手段を簡素化し、全体的に簡易構造で安価な普及タイプのスプレー缶の保持操作具を実現し、立ったまま楽な姿勢でスプレー可能にする。    【解決手段】柄パイプの先端側に塗料などのスプレー缶を保持した状態で、前記柄パイプの基端側から遠隔的にスプレー操作するスプレー缶の保持操作具において、スプレー缶の外径より大きく開放可能な把持部を有する既存の洗濯ばさみを複数個重ねて、把持部を開放した状態で、各洗濯ばさみの両開閉操作部の片側を支持手段で挟持固定し、前記支持手段を、前記柄パイプの先端側に取付け固定してある。【選択図】          図１
0003115900.tif 000002
【実用新案登録請求の範囲】
【請求項１】
柄パイプの先端側に塗料などのスプレー缶を保持した状態で、前記柄パイプの基端側から遠隔的にスプレー操作するスプレー缶の保持操作具において、
スプレー缶の外径より大きく開放可能な把持部を有する既存の洗濯ばさみを複数個重ねて又は間隔をおいた状態で、各洗濯ばさみの両開閉操作部の片側を支持手段で挟持固定し、前記支持手段を、前記柄パイプの先端側に取付け固定してなることを特徴とするスプレー缶の保持操作具。
【請求項２】
各洗濯ばさみの把持部を予め多少開放した状態に維持できるように、各洗濯ばさみの他方の開閉操作部を多少閉じた状態に維持するストッパー手段を前記の支持手段に設けてあることを特徴とする請求項１に記載のスプレー缶の保持操作具。
【請求項３】
前記のスプレー缶のノズルボタンを操作するノズルボタン押しレバーにおいて、
前記柄パイプの先端側に設けたノズルボタン押しレバー軸支部と先端側のノズルボタン押し部との中間位置に駆動軸部を設け、この駆動軸部を柄パイプの取っ手側から引っ張り操作できる構造にしたことを特徴とする請求項１または請求項２に記載のスプレー缶の保持操作具。
【考案の詳細な説明】
【技術分野】
【０００１】
本考案は、スプレー缶に入ったペンキなどの塗料や薬剤などを楽な姿勢でスプレーするのに適するスプレー缶の保持操作具に関する。
【背景技術】
【０００２】
特開2002-66406号に記載のように、エアゾール缶を収容・保持する円筒体のホルダーを有するホルダー部と、該ホルダー部の下方に接続される車輪部と、該ホルダー部の上方に一端が接続された柄と、該柄の他端に接続されたハンドルと、一端にトリガーを他端に押圧部を有しかつ該ホルダー部、該柄及び該ハンドル部の内部に挿通されるトリガーロッドとからなるスプレー用治具が提案されている。この治具を用いると、立った状態で楽な姿勢で地面に塗料などをスプレーできるので、長時間不自然な姿勢を強いられるという問題が解消され、腰痛防止に有効である。
【特許文献１】特開2002-66406
【考案の開示】
【考案が解決しようとする課題】
【０００３】
しかしながら、特許文献１のような構造では、スプレー缶を保持する保持部が、柄体の下端に柄体と平行方向に装着され、スプレー缶のホタンを柄体と平行方向に引き寄せ操作して、スプレー缶の先端から缶軸心と平行方向に噴出させる構造であるため、特定メーカーの特殊のスプレー缶にしか適用できず、最も普及しているようにスプレー缶の先端ノズルから缶軸心と直角方向に噴出する通常タイプのスプレー缶には適用できないのが致命的である。
【０００４】
また、スプレー缶の保持部には、上部接続口や下部接続口、スプレー缶の脱落防止用隆起やずれ防止用ストッパー、２〜４の収容案内用隆起、スプレー缶が回転しないように固定する固定リングなどを設ける必要がある。そのため、スプレー缶の保持手段が複雑高価な特殊構造となり、普及が期待できない。
【０００５】
本考案の技術的課題は、このような問題に着目し、従来のスプレー缶の保持手段を簡素化し、全体的に簡易構造で安価な普及タイプのスプレー缶の保持操作具を実現することにある。
【課題を解決するための手段】
【０００６】
本考案の技術的課題は次のような手段によって解決される。請求項１は、柄パイプの先端側に塗料などのスプレー缶を保持した状態で、前記柄パイプの基端側から遠隔的にスプレー操作するスプレー缶の保持操作具において、スプレー缶の外径より大きく開放可能な把持部を有する既存の洗濯ばさみを複数個重ねて又は間隔をおいた状態で、各洗濯ばさみの両開閉操作部の片側を支持手段で挟持固定し、前記支持手段を、前記柄パイプの先端側に取付け固定してなることを特徴とするスプレー缶の保持操作具である。スプレー缶は、各把持部の中に強引に挿入するだけで装着できる。
【０００７】
このように、スプレー缶の外径より大きく開放可能な把持部を有する既存の洗濯ばさみを複数個重ねて又は間隔をおいた状態で、柄パイプ先端側に装着することによってスプレー缶の保持操作具を構成できるため、市販の安価な洗濯ばさみを使用して、安価なスプレー缶の保持操作具を実現できる。また、各洗濯ばさみの両開閉操作部の片側を支持手段で挟持固定し、前記支持手段を、前記柄パイプの先端側に取付け固定してあるだけであるから、各洗濯ばさみを柄パイプ側に取付ける構造も簡単になり、安価で簡易なスプレー缶の保持操作具を実現できる。
【０００８】
請求項２は、各洗濯ばさみの把持部を予め多少開放した状態に維持できるように、各洗濯ばさみの他方の開閉操作部を多少閉じた状態に維持するストッパー手段を前記の支持手段に設けてあることを特徴とする請求項１に記載のスプレー缶の保持操作具である。このように、各洗濯ばさみの他方の開閉操作部を多少閉じた状態に維持するストッパー手段を前記の支持手段に設けたことによって、各洗濯ばさみの把持部を予め開放した状態に維持してあるため、スプレー缶の挿入操作がワンタッチで可能となり、取り扱いが簡便である。また、把持部を予め開放しておいて、把持スプリングのバネ力が強力な状態でスプレー缶を挿入して把持させることになり、スプレー缶の把持力を充分に確保できる。
【０００９】
請求項３は、前記のスプレー缶のノズルボタンを操作するノズルボタン押しレバーにおいて、  前記柄パイプの先端側に設けたノズルボタン押しレバー軸支部と先端側のノズルボタン押し部との中間位置に駆動軸部を設け、この駆動軸部を柄パイプの取っ手側から引っ張り操作できる構造にしたことを特徴とする請求項１または請求項２に記載のスプレー缶の保持操作具である。
【００１０】
このように、スプレー缶のノズルボタンを押してスプレーするためのノズルボタン押しレバーは、柄パイプの先端に軸支して取付ける。その際に、このノズルボタン押しレバー軸支部と先端側のノズルボタン押し部との中間位置に駆動軸部を設けてあって、この駆動軸部を柄パイプの取っ手側から引っ張り操作する構造にしてあるため、スプレー缶の先端ノズルから缶軸心と直角方向に噴出する通常タイプのスプレー缶において、ノズルボタンをシンプルな構造で遠隔的に押してスプレー操作できる。したがって、最も普及しているタイプのスプレー缶に適用でき、スプレー缶の遠隔操作式の保持操作具の普及が期待され、作業性改善に寄与できる。
【考案の効果】
【００１１】
請求項１のように、スプレー缶の外径より大きく開放可能な把持部を有する既存の洗濯ばさみを複数個重ねて又は間隔をおいた状態で、柄パイプ先端側に装着することによってスプレー缶の保持操作具を構成できるため、市販の安価な洗濯ばさみを使用して、安価なスプレー缶の保持操作具を実現できる。また、各洗濯ばさみの両開閉操作部の片側を支持手段で挟持固定し、前記支持手段を、前記柄パイプの先端側に取付け固定してあるだけであるから、各洗濯ばさみを柄パイプ側に取付ける構造も簡単になり、安価で簡易なスプレー缶の保持操作具を実現できる。
【００１２】
請求項２のように、各洗濯ばさみの他方の開閉操作部を多少閉じた状態に維持するストッパー手段を前記の支持手段に設けたことによって、各洗濯ばさみの把持部を予め開放した状態に維持してあるため、スプレー缶の挿入操作がワンタッチで可能となり、取り扱いが簡便である。また、把持部を予め開放しておいて、把持スプリングのバネ力が強力な状態でスプレー缶を挿入して把持させることになり、スプレー缶の把持力を充分に確保できる。
【００１３】
請求項３のように、スプレー缶のノズルボタンを押してスプレーするためのノズルボタン押しレバーは、柄パイプの先端に軸支して取付ける。その際に、このノズルボタン押しレバー軸支部と先端側のノズルボタン押し部との中間位置に駆動軸部を設けてあって、この駆動軸部を柄パイプの取っ手側から引っ張り操作する構造にしてあるため、スプレー缶の先端ノズルから缶軸心と直角方向に噴出する通常タイプのスプレー缶において、ノズルボタンをシンプルな構造で遠隔的に押してスプレー操作できる。したがって、最も普及しているタイプのスプレー缶に適用でき、スプレー缶の遠隔操作式の保持操作具の普及が期待され、作業性改善に寄与できる。
【考案を実施するための最良の形態】
【００１４】
次に本考案によるスプレー缶の保持操作具が実際上どのように具体化されるか実施形態を説明する。図１は本考案によるスプレー缶の保持操作具の全容を示す斜視図であり、円筒状の柄パイプ１の上端（基端）に取っ手２が一体についており、下端（先端）の巻き締め金具３を介して洗濯ばさみ支持体４を取付け、複数重ねの洗濯ばさみ５を装着してある。各洗濯ばさみ５の両把持部５１、５２の間Ｄにスプレー缶が把持される。また、柄パイプ先端の巻き締め金具６の両端の締付け板部６１に設けた軸支部６２にノズルボタン押しレバーＬを軸支してある。
【００１５】
そして、このノズルボタン押しレバーＬの先端のノズルボタン押し部７によって、洗濯ばさみ５の両把持部５１、５２間に把持されたスプレー缶のノズルボタンを押して、ノズルから塗料などを噴出させる。なお、ノズルボタン押しレバー軸支部６２とノズルボタン押し部７との中間位置に駆動軸部８を設けてあって、この駆動軸部８を、柄パイプ１の中を通過しているワイヤーや紐類、帯板、バー体、棒ないしロッドなどを介して取っ手２側から引っ張ることによって、前記のノズルボタン押し部７が洗濯ばさみ５側に移動して、ノズルボタンを押し下げる動きをする。
【００１６】
図２は、洗濯ばさみ５の装着前の状態であり、洗濯物を挟むための一対の把持部５１、５２がＣ字状の針金状のスプリングＳで閉じられている。一対の把持部５１、５２と一対の開閉操作部５３、５４との間に支点５５があり、開閉操作部５３、５４は通常はバネ力で開いているが、洗濯物を挟む際は、この開閉操作部５３、５４をスプリングＳのバネ力に抗して閉じる方向に押すと、把持部５１、５２が開いて、洗濯物を挿入可能となる。次いで開閉操作部５３、５４を開放すると、バネ力で把持部５１、５２が閉じて洗濯物を把持する。この洗濯ばさみ５を本発明のスプレー缶の保持操作具として使用するには、図３のような支持手段４、４３を用いて、把持部５１、５２を開いた状態で柄パイプ１に装着する。
【００１７】
図３は、図１のスプレー缶の保持操作具におけるスプレー缶装着部の底面図であり、長方形の金属板をコ字状に折り曲げ形成してなる支持体４と当て板４３を用いる。そして、３個の洗濯ばさみ５の各開閉操作部５３、５４を閉じた状態で、支持体４のコ字状部の中に挿入した状態で、片側の各開閉操作部５４だけを片方のコ字状腕部４１の内面に鋲１０で鋲止めしてある。ただし、樹脂製の開閉操作部５４が鋲１０で破損しないように、内面に金属製の当て板４３を重ねて、コ字状の腕部４１との間に挟持した状態で鋲止め固定してある。
【００１８】
このように、３個の洗濯ばさみ５の片方の開閉操作部５４は、コ字状支持体４の片方の腕部４１の内面に挟持固定してあるが、他方の開閉操作部５３はフリー状態なため、コ字状部の内部で開閉操作部５３、５４はある程度開閉できる。その結果、その範囲で、把持部５１、５２も開閉できることになる。いま、図３のように、フリーで可動側の開閉操作部５３がコ字状支持体４の他方の腕部４２の内面に当たっているので、把持部５１、５２はそれ以上閉じることはできず、片方の可動側の開閉操作部５３のストッパー手段として作用しているが、把持部５１、５２間に、把持部５１、５２の間隔Ｄより大径のスプレー缶をスプリングＳのバネ力に抗して強引に挿入すると、可動側の開閉操作部５３が閉じる方向に回動した状態となり、スプレー缶が把持される。
【００１９】
洗濯ばさみ５のこのような作用を利用して一対の把持部５１、５２間Ｄにスプレー缶が把持されるが、これらの洗濯ばさみ５は、当て板４３を介して、図１のように、巻き締め金具３に連結することで、柄パイプ１に取付け固定される。したがって、図示例では、当て板４３が各洗濯ばさみ５の柄パイプ１への取付け固定の機能を兼ねている。なお、当て板４３に代えて、コ字状支持体４の柄パイプ１側の一部を巻き締め金具３で柄パイプ１に取付け固定してもよい。結局、両腕部４１、４２を有するコ字状支持体４と当て板４３とで、複数の洗濯ばさみ５の挟持支持手段を構成している。
【００２０】
図４は図１のスプレー缶保持操作具の詳細を示す平面図で、図５は正面図である。把持部５１、５２間にスプレー缶Ｃを把持している状態であり、３個の洗濯ばさみ５は、コ字状支持体４や当て板４３からなる洗濯ばさみ支持手段を介して、巻き締め金具３で柄パイプ１に取付け固定されている。
【００２１】
巻き締め金具３よりも柄パイプの先端寄りに別の巻き締め金具６を設け、その両端の締付け板部６１に設けた軸支部６２にノズルボタン押しレバーＬを連結支持してある。このノズルボタン押しレバーＬの先端７が、スプレー缶Ｃのノズルボタン１２を押すためのノズルボタン押し部となっている。そして、このノズルボタン押し部７と前記軸支部６２との中間位置において、両者を結ぶレバー中心線から洗濯ばさみ５寄りの位置にＴ字状に延びた駆動軸部８を設けてある。
【００２２】
この駆動軸部８は、柄パイプ１の中を通過しているワイヤーや紐体又はバー体や帯板１３の先端に連結されている。前記のワイヤーやバー体、帯板１３の基端は、取っ手２側のトリガー９に連結されている。したがって、トリガー９が支点９ａを中心にして取っ手２側に回動すると、ワイヤーやバー体、帯板１３を介して駆動軸部８が引っ張られ、その結果、ノズルボタン押しレバーＬが鎖線のように軸支部６２を中心に左回転するので、ノズルボタン押し部７が鎖線のようにスプレー缶Ｃ側に回動して、ノズルボタン１２を押し、内部の液体をスプレーする。
【００２３】
したがって、このスプレー缶の保持操作具の洗濯ばさみ５の把持部５１、５２間に塗料などのスプレー缶を把持した状態で、柄パイプ１の基端側から遠隔的にスプレー操作することができる。
【００２４】
図６、図７は他の実施形態を示す平面図と正面図であり、図４、図５と同様に、柄パイプの先端側のノズルボタン押しレバーＬの軸支部６２と先端側のノズルボタン押し部７との間に駆動軸部８を設けてある。ノズルボタン押しレバーＬを容易に回転できるように、駆動軸部８は、軸支部６２とノズルボタン押し部７との間において、両者を結ぶ中心線よりスプレー缶Ｃ側にずれた位置８に設けるのがよい。その結果、図示例では、Ｔ字状をなしている。
【００２５】
ノズルボタン押し部７は、図６のように、柄パイプ１の中心線上に位置させてある。また、トリガー９による引き金タイプに代えて、押しレバー１４を軸支し、支軸１５の反対側に設けた牽引部１６に前記のワイヤーや紐体又はバー体や帯板１３を連結してある。この場合は、押しレバー１４を押すと、帯板１３を介して駆動軸部８が引っ張られ、ノズルボタン押し部７が回動してノズルボタン１２を押することになる。なお、押しレバー１４を押し込んだ状態で、その先端のフック部に掛け金を引っ掛けておくと、押しレバー１４を常時押す必要がなくなり、スプレーを出しっぱなしにする場合に便利である。あるいは、柄パイプ基端に設けた回動部材１７を後退状態の牽引部１６との間に挿入して挟む構成でもよい。
【００２６】
巻き締め金具３は、図４、図５の例では、柄パイプ１の上側でネジ３１で締めつけ固定しているのに対し、図６、図７の例では、支持体４と柄パイプ１の間においてネジ３２で締めつけ固定してある。また、図示例のように、柄パイプ１中の帯板１３やバー体などのように剛性の強い長尺材でノズルボタン押しレバーＬを引っ張る構成だと、トリガー９や押しレバー１４自体の復帰バネのバネ力で帯板１３やバー体が駆動軸部８側に押されて戻り可能であるが、ワイヤーや紐体のように剛性の無い線材でノズルボタン押しレバーＬを引っ張る構成だと、軸支部６２側にワイヤーや紐体を引き戻すための復帰バネを設ける必要がある。
【産業上の利用可能性】
【００２７】
以上のように、本考案によると、市販の洗濯ばさみの把持部を開いた状態で柄パイプに取付けてスプレー缶を把持させる構造であるため、極めて安価に簡易型のスプレー缶の保持操作具を実現でき、しかも普及タイプのスプレー缶に適用できるため、スプレー作業時の腰痛防止に有効で、国民の健康維持に寄与できる。
【図面の簡単な説明】
【００２８】
【図１】本考案によるスプレー缶の保持操作具の全容を示す斜視図である。
【図２】市販の洗濯ばさみの装着前の状態である。
【図３】図１のスプレー缶の保持操作具におけるスプレー缶装着部の底面図である。
【図４】図１のスプレー缶保持操作具の詳細を示す平面図である。
【図５】図１のスプレー缶保持操作具の詳細を示す正面図である。
【図６】他の実施形態を示すスプレー缶の保持操作具の平面図である。
【図７】他の実施形態を示すスプレー缶の保持操作具の正面図である。
【符号の説明】
【００２９】
１  柄パイプ
２  取っ手
３  巻き締め金具
４  洗濯ばさみ支持体
４１  コ字状の片方の腕部
４２  コ字状の他方の腕部（ストッパー手段）
４３  当て板  
５  洗濯ばさみ
５１、５２  把持部
５３、５４  開閉操作部
Ｄ  把持部間隔  
６  巻き締め金具
６１  締付け板部
６２  軸支部
Ｌ  ノズルボタン押しレバー
７  ノズルボタン押し部
８  駆動軸部
１０  鋲  
Ｃ  スプレー缶
１２  ノズルボタン
１３  帯板
９  トリガー
１４  押しレバー
１６  牽引部
１７  回動部材
【図１】
0003115900.tif 000003
【図２】
0003115900.tif 000004
【図３】
0003115900.tif 000005
【図４】
0003115900.tif 000006
【図５】
0003115900.tif 000007
【図６】
0003115900.tif 000008
【図７】
0003115900.tif 000009